(57)【要約】【課題】光源としてＬＥＤ光源を用いた場合でも、各ＬＥＤのバラツキ等を考慮してスクリーンに投射される映像の色を補正すること。【解決手段】  モード信号がＬＥＤ制御部１６に入力すると、ＬＥＤ制御部１６はモードに基づいてＬＥＤ駆動電流制御部１９およびフィルタ角度制御部１７に対し制御信号を送る。ＬＥＤ駆動電流制御部１９はその制御信号に基づいてＬＥＤ光源２０の出力を制御する一方、フィルタ角度制御部１７はその制御信号に基づいてダイクロックフィルタ１８の角度を制御する。光検出センサ１５は、ＬＥＤ光源２０からの出力と色とを検出し、ＬＥＤ制御部１６は光検出センサ１５が検出したＬＥＤ光源２０からの出力および色（色度点）の検出信号と、モード信号とに応じて、ダイクロックフィルタ１８の角度と各ＬＥＤ光源２０への駆動電流のフィードバック制御を行う。        【選択図】図１
2008134378.tif 000002
【特許請求の範囲】
【請求項１】
映像信号に基づいて各色の映像が表示された表示デバイスにそれぞれ各色のＬＥＤ光源からの光を照射し、各色の表示デバイスを反射または透過した各色の光を合成して表示スクリーンに投射し表示する投射型表示装置であって、
各色のＬＥＤ光源と各色の表示デバイスとの間に設けられ、角度の変更により各色のＬＥＤ光源からの光の波長の透過率または反射率を変更して、各色のＬＥＤ光源から各色の表示デバイスへ入射する光の波長を調整するカラーフィルタと、
前記カラーファイタの角度を制御するフィルタ角度制御手段と、
各色のＬＥＤ光源毎に設けられ、各色のＬＥＤ光源へ供給される駆動電流を制御するＬＥＤ駆動電流制御手段と、
各色のＬＥＤ光源毎に設けられ、前記カラーフィルタを通過した後の各色のＬＥＤ光源からの光の強さと色とを検出する光検出センサと、
前記光検出センサからの検出結果に基づいて、前記フィルタ角度制御手段に対し前記カラーファイタの角度を制御させる制御信号を出力すると共に、前記ＬＥＤ駆動電流制御手段に対し各色のＬＥＤ光源へ供給される駆動電流を制御させる制御信号を出力するＬＥＤ制御手段と、
を有する投射型表示装置。
【請求項２】
請求項１記載の投射型表示装置において、
前記ＬＥＤ制御手段は、
さらに、ユーザによって指定されたモードに応じて、前記フィルタ角度制御手段に対し前記カラーファイタの角度を制御させる制御信号を出力すると共に、前記ＬＥＤ駆動電流制御手段に対し各色のＬＥＤ光源へ供給される駆動電流を制御させる制御信号を出力する、投射型表示装置。
【請求項３】
請求項１記載の投射型表示装置において、
前記ＬＥＤ制御手段は、さらに、前記光検出センサからの検出結果に基づいて、各色の色パラメータ信号を出力し、
前記ＬＥＤ制御手段からの各色のパラメータ信号に基づいて、前記映像信号を補正して補正映像信号として出力する表示デバイス制御部と、
前記表示デバイス制御部によって補正された補正映像信号に基づいて各色の前記表示デバイスに駆動信号を出力する表示デバイス駆動部と、
を有する投射型表示装置。
【発明の詳細な説明】
【技術分野】
【０００１】
本発明は、各色のＬＥＤ光源からの光をそれぞれ映像信号の色域に基づいて各色の映像が表示された表示デバイスに照射して、各色の表示デバイスを反射または透過した各色の光を合成して表示スクリーンに投射し表示する投射型表示装置に関するものである。
【背景技術】
【０００２】
従来、投射型表示装置には、光源(ランプ)の白色光をＲＧＢの三原色に分解し、各々の光をＲＧＢそれぞれの表示デバイスに導いて、そのデバイスで光変調させ、再び変調されたＲＧＢ光を色合成して投射レンズから投射し、色合成された画像をスクリーン上に拡大投射さるものがあり、最近は、光源として、ＲＧＢそれぞれの光を発生する発光ダイオード（ＬＥＤ）を用いた投射型表示装置が提案されている（例えば、特許文献１，２参照。）
【０００３】
また、照明装置と、第１のダイクロイックミラー及び第２のダイクロイックミラーを有する色分離光学系と、ＲＧＢ３つの液晶装置と、クロスダイクロイックプリズムと、投写光学系と、赤色透過ダイクロイックフィルタ、緑色透過ダイクロイックフィルタ及び青色透過ダイクロイックフィルタ７１０とを備え、投写画像の色調にばらつきが発生するのを抑制したり、映画観賞モード等のモードに基づいて、第１のダイクロイックミラー及び第２のダイクロイックミラー並びに赤色透過ダイクロイックフィルタ、緑色透過ダイクロイックフィルタ及び青色透過ダイクロイックフィルタの角度を調整可能にした投射型表示装置がある（例えば、特許文献３参照。）。
【特許文献１】特開２００４―２７９９２２号公報
【特許文献２】特開２００４−３０２２５４号公報
【特許文献３】特開２００５−３００９００号公報
【発明の開示】
【発明が解決しようとする課題】
【０００４】
しかし、上記特許文献１，２記載の従来の投射型表示装置では、光源としてＲＧＢそれぞれの光を発生する発光ダイオード（以下、ＬＥＤと略す。）を用いることは開示されているものの、ＲＧＢそれぞれの光を発生するＬＥＤの色を調整することは行っていないため、各ＬＥＤのバラツキ等を考慮してスクリーンに投射される映像の色を補正できない、という問題があった。
【０００５】
また、上記特許文献３記載の従来の投射型表示装置では、ＲＧＢ各色のＬＥＤの色それぞれの色毎にバラツキを抑制したり、映画観賞モード等のモードに応じてＲＧＢそれぞれの色毎に透過ダイクロイックフィルタの角度を調整してＲＧＢ各色のＬＥＤの色を調整しているに過ぎないため、各ＬＥＤのバラツキ等を考慮してスクリーンに投射される映像の色を補正できない、という問題があった。
【０００６】
そこで、本発明は、光源としてＲＧＢそれぞれの光を発生するＬＥＤ光源を用いた場合でも、各ＬＥＤのバラツキ等を考慮してスクリーンに投射される映像の色を補正することができる投射型表示装置を提供することを目的とする。
【課題を解決するための手段】
【０００７】
上記目的を達成するため、本発明の投射型表示装置は、映像信号に基づいて各色の映像が表示された表示デバイスにそれぞれ各色のＬＥＤ光源からの光を照射し、各色の表示デバイスを反射または透過した各色の光を合成して表示スクリーンに投射し表示する投射型表示装置であって、各色のＬＥＤ光源と各色の表示デバイスとの間に設けられ、角度の変更により各色のＬＥＤ光源からの光の波長の透過率または反射率を変更して、各色のＬＥＤ光源から各色の表示デバイスへ入射する光の波長を調整するカラーフィルタと、前記カラーファイタの角度を制御するフィルタ角度制御手段と、各色のＬＥＤ光源毎に設けられ、各色のＬＥＤ光源へ供給される駆動電流を制御するＬＥＤ駆動電流制御手段と、各色のＬＥＤ光源毎に設けられ、前記カラーフィルタを通過した後の各色のＬＥＤ光源からの光の強さと色とを検出する光検出センサと、前記光検出センサからの検出結果に基づいて、前記フィルタ角度制御手段に対し前記カラーファイタの角度を制御させる制御信号を出力すると共に、前記ＬＥＤ駆動電流制御手段に対し各色のＬＥＤ光源へ供給される駆動電流を制御させる制御信号を出力するＬＥＤ制御手段と、を有するものである。
【０００８】
ここで、前記ＬＥＤ制御手段は、さらに、ユーザによって指定されたモードに応じて、前記フィルタ角度制御手段に対し前記カラーファイタの角度を制御させる制御信号を出力すると共に、前記ＬＥＤ駆動電流制御手段に対し各色のＬＥＤ光源へ供給される駆動電流を制御させる制御信号を出力する、ようにしても良い。
【０００９】
また、前記ＬＥＤ制御手段は、さらに、前記光検出センサからの検出結果に基づいて、各色の色パラメータ信号を出力し、前記ＬＥＤ制御手段からの各色のパラメータ信号に基づいて、前記映像信号を補正して補正映像信号として出力する表示デバイス制御部と、前記表示デバイス制御部によって補正された補正映像信号に基づいて各色の前記表示デバイスに駆動信号を出力する表示デバイス駆動部と、を有するようにしても良い。
【発明の効果】
【００１０】
本発明によれば、各色のＬＥＤ光源からの出力と色を検出する光検出センサからの検出結果に基づいて、各色のカラーファイタの角度を制御すると共に、各色のＬＥＤ光源へ供給される駆動電流を制御するようにしたので、光源としてＲＧＢ各光を発生するＬＥＤ光源を用いた場合でも、各ＬＥＤ光源の光の強さと色等のバラツキ等を考慮してスクリーンに投射される映像の色を補正することができる。
【発明を実施するための最良の形態】
【００１１】
図１は、本発明に係る投射型表示装置に実施の形態の構成例を示すブロック図である。
【００１２】
図1において、投射型表示装置は、画像信号や映像信号等の映像信号が入力する映像信号入力部１１と、表示デバイス制御部１２と、表示デバイス駆動部１３と、液晶デバイス等の表示デバイス１４と、光検出センサ１５と、ＬＥＤ制御部１６と、駆動モータ等によって各色のダイクロックフィルタ１８の角度を変化させるフィルタ角度制御部１７と、ダイクロックフィルタ１８と、ＬＥＤ駆動電流制御部１９と、ＲＧＢ各色毎のＬＥＤ光源２０とを有する。
【００１３】
図２（a）は、本発明に係る投射型表示装置において、ＲＧＢ各色毎のダイクロックフィルタ１８が設けられる位置を示す図である。
【００１４】
図１では図示していないが、本実施の形態では、図２に示すように、ＲＧＢ各色毎のＬＥＤ光源２０と、表示デバイス１４との間に、コリメーターレンズやライトパイプ等の光学系２２と、２枚のフィールドレンズ２３，２４とが設けられており、ＲＧＢ各色毎のダイクロックフィルタ１８は、２枚のフィールドレンズ２３，２４の間に設けられている。
【００１５】
ダイクロックフィルタ１８の前後に２枚のフィールドレンズ２３，２４を設けているのは、図２（ｂ）に示すように、２枚のフィールドレンズ２３，２４の間では、透過光が平行光（テレセントリック）になるので、各ダイクロックフィルタ１８への各光の入射角度が一定となり、フィルタの場所による角度特定のバラツキを少なくできるからである。つまり、ダイクロックフィルタ１８の前後に２枚のフィールドレンズ２３，２４を設けないとすると、平行光でないダイクロックフィルタ１８への入射角度が異なることになり、ダイクロックフィルタ１８の場所による角度特性の違いが生じてしまうからである。
【００１６】
ここで、本実施の形態では、色純度の高い照明系および出力可変な照明系として、ＲＧＢ単色光のＬＥＤ光源２０を使用している。ＬＥＤ光源２０の特徴としては、狭帯域の単色の発光スペクトルを有しており(半値幅:２０−３０ｎｍ)、入力電流により出力が可変である点である。
【００１７】
なお、実施の形態１においてダイクロックフィルタ１８を透過することで数％の光量ロスがある。そこで、表示デバイス４として開口率の高い反射型液晶デバイスを用いることで透過型液晶デバイスと比較して表示装置全体での光量ロスを抑えることができる。
【００１８】
ただし、ＬＥＤ光源２０単体では、ＮＴＳＣ規格の色域をカバーできない。それを解決するために、本実施の形態では、カラーダイクロックフィルタ１８を用いたＲＧＢ光の色度点を、自由度を持った範囲で変化させることができる投射型表示装置を提供する。
【００１９】
図２に示すように、ＬＥＤ光源２０を出た光は、光学系２２、フィールドレンズ２３を介して角度調整機構のついたダイクロックフィルタ１８を透過する。
【００２０】
ダイクロックフィルタ１８は、図３に示すように、ダイクロックフィルタ１８面に対して光が透過する角度を変えることでそれぞれの波長の透過率が変化する。なお、図３は、ダイクロックフィルタ１８面に対して光が透過する角度が０°、１０°、２０°、３０°、４５°の場合の波長の透過特性を示している。
【００２１】
例えば、波長が５００ｎｍの光では、０度から４５度まで角度を変えると、透過率が約８０％から９８％近くまで変化する。つまり、ダイクロックフィルタ１８の角度を変えることにより、各光の透過率を変えて、動的な波長選択を実行することができる。この性質を利用して、ダイクロックフィルタ１８の角度を変化させることで、図４に示すように、ＬＥＤ光源２０の分光分布を変化させることができる。
【００２２】
そして、図４に示すように、ＬＥＤ光源２０の分光分布が変化することでＬＥＤ光源２０の色が変化し、光源の分光の半値幅が狭くなれば色純度が高くなる。例えば、図４の場合、ＬＥＤ光源２０の波長の半値幅を狭く調整すると、ＬＥＤ光源２０の色は、調整前の青緑色から調整後の緑色へと変更される。
【００２３】
次に、本装置の投射型表示装置の動作を説明する。
【００２４】
図５は、本実施の形態の投射型表示装置の処理手順を示すフローチャートである。
【００２５】
まず、図１に示すように、ユーザによって選択された各種モードに対応したモード信号がＬＥＤ制御部１６に入力すると（ステップ５１０）、ＬＥＤ制御部１６は、そのモード信号に基づいて、ＬＥＤ駆動電流制御部１９に対し駆動電流制御信号を出力すると共に、駆動モータ等を有するフィルタ角度制御部１７に対し制御信号を送信する（ステップ５２０）。なお、モード信号は、ＬＥＤ制御部１６に直接入力せず、表示デバイス制御部１２にいったん入力し、表示デバイス制御部１２からＬＥＤ制御部１６に、モードに応じたLED光源２０の出力および色(色、点)情報になるようにしても勿論よい。
【００２６】
ここで、本実施の形態の投射型表示装置では、例えば、以下の３つのモードを有している。勿論、これら３つ以外のモードでも良い。
【００２７】
つまり、
・  明るさ優先モード
ＬＥＤ光源２０の出力を最大限利用するモードで、ＬＥＤ光源２０の出力は定格電力いっぱいまで使う。このモードの場合、ＲＧＢ各色のＬＥＤ光源２０の色は、ＬＥＤ自身の波長に依存した色となる。
【００２８】
・  省エネモード
ＬＥＤ光源２０の出力可変を利用したダイナミックアイリス的光源駆動のモードである。ＬＥＤ光源２０の出力を動的にコントロールすることで、消費電力を抑える。このモードの場合、ＲＧＢ各色のＬＥＤ光源２０の色は、それぞれ対応するダイクロックフィルタ１８の角度を変えることによって可変させる。
【００２９】
・  色再現モード
ＬＥＤ光源２０の色を、ＮＴＳＣ規格などの規格された色度点を内包するようにコントロールするモードである。このモードの場合、ＲＧＢ各色のＬＥＤ光源２０の色は、それぞれ対応するダイクロックフィルタ１８の角度を変えることでコントロールし、かつ、ＬＥＤ光源２０のＷＢ(ホワイトバランス)は、ＬＥＤ光源２０の出力で調整する。
【００３０】
このように、本実施の形態の投射型表示装置では、ＬＥＤ制御部１６が、ダイクロックフィルタ１８の角度と各ＬＥＤ光源２０への駆動電流とを制御して、ＬＥＤ光源２０の出力と色とをコントロールする。これにより、ＲＧＢ各色のＬＥＤ光源２０個体のばらつきやＲＧＢ各色のＬＥＤ光源２０それぞれのダイクロックフィルタ１８の特性ばらつきとを、後述するようにフィードバック制御によって抑えることが可能となり、各ＬＥＤ光源２０の明るさのコントロールだけでなく、今後重要になってくる色も同時にコントロールすることができる。
【００３１】
すると、ＲＧＢ各色のＬＥＤ駆動電流制御部１９は、ＬＥＤ制御部１６からの駆動電流制御信号に基づいて、対応するＬＥＤ光源２０の駆動電流を制御してその出力を制御する一方、フィルタ角度制御部１７は、ＬＥＤ制御部１６からの角度制御信号に基づいて、対応するダイクロックフィルタ１８の角度を制御してＲＧＢ各色のＬＥＤ光源２０の色（色度点）を制御する（ステップ５３０）。
【００３２】
そして、光検出センサ１５が、ＲＧＢ各色のＬＥＤ光源２０からの出力と色とを検出して、検出信号としてＬＥＤ制御部１６に出力する（ステップ５４０）。
【００３３】
ＬＥＤ制御部１６は、光検出センサ１５が検出したＲＧＢ各色のＬＥＤ光源２０からの出力および色（色度点）の検出信号と、モード信号が示すＲＧＢ各色のＬＥＤ光源２０からの出力と色（色度点）とに応じて、フィルタ角度制御部１７とＬＥＤ駆動電流制御部１９に対し、ダイクロックフィルタ１８の角度と各ＬＥＤ光源２０への駆動電流のフィードバック制御を行う（ステップ５５０）。これにより、ＲＧＢ各色のＬＥＤ光源２０個体のばらつきやＲＧＢ各色のＬＥＤ光源２０それぞれのダイクロックフィルタ１８の特性ばらつきをフィードバック制御によって抑えることが可能となり、各ＬＥＤ光源２０の明るさのコントロールだけでなく、各ＬＥＤ光源２０の色も同時にコントロールすることができる。
【００３４】
図６は、ＨＤＴＶ規格の場合における本実施の形態のＬＥＤ制御部１６によるフィルタ角度の制御による各ＬＥＤ光源２０の色(色度点)等の制御を示す図である。
【００３５】
図６（ａ）では、☆印は、ＲＧＢ各色のＬＥＤ光源２０の色度点、○印はＲＧＢ各色のＨＤＴＶの色度点を示しており、☆印のＲＧＢ各色のＬＥＤ光源２０の色度点を点線で結んだ領域はＬＥＤ光源２０の色域、○印はＲＧＢ各色のＨＤＴＶの色度点を実線で結んだ領域はＨＤＴＶの色域を示している。そして、図６（ａ）におけるａ１領域は、ＲＧＢ各色のＬＥＤ光源２０の色補正なしの領域を示しており、ａ２領域は、ＲＧＢ各色のＬＥＤ光源２０の緩やかな色補正領域を示しており、ａ３領域は、ＲＧＢ各色のＬＥＤ光源２０のａ２領域以上の急激な色補正領域を示している。
【００３６】
ＭＡＴＲＩＸ変換によりＬＥＤ光源２０の色補正をすると、図６（ａ）における矢印（→）のように色度点が移動する。ここで、白色は、ＬＥＤ光源２０の出力調整で規格の色温度（ＨＤＴＶではＤ６５)に調整されたものと考える。また、クリップしたり、マイナスになった信号は１．０(リニアＲＧＢ)に置き換える。)
【００３７】
すると、肌色に対しては、赤み掛かった肌色が補正され、より自然な感じ、すなわち入力に対して忠実になることが簡単に推測できる。
【００３８】
しかし、原色に近い色、例えば、三角形をした色域の辺あたりまで補正されると、ＬＥＤ光源２０の良さである彩度の高い色が表現できなくなる。
【００３９】
そこで、入力映像信号に対して忠実ではなくなるが、上述のモードによって変更可能な閾値、あるいはモードに関係なく固定の閾値を設けることで、ＲＧＢ各色のＬＥＤ光源２０のうち、色補正を大きくする色と、色補正を小さくする色と、色補正をしない色とを個別に出力する。
【００４０】
図６（ｂ）は、ＲＧＢ各色のＬＥＤ光源２０の色補正前と色補正後の一例を示している。
【００４１】
図６（ｂ）において、一番上の例は、ＲＧＢ各色のＬＥＤ光源２０の全ての色を補正しない例を示しており、上から２番目の例は、ＲＧＢ各色のＬＥＤ光源２０の全ての色を小さく補正する例を示しており、上から３番目の例は、ＲＧＢ各色のＬＥＤ光源２０のうち赤（Ｒ）のみ大きく補正し、緑（Ｇ）および青（Ｂ）は小さく補正する例を示している。
【００４２】
このように、ＬＥＤ制御部１６は、光検出センサ１５が検出したＲＧＢ各色のＬＥＤ光源２０からの出力および色（色度点）の検出信号と、モード信号が示すＲＧＢ各色のＬＥＤ光源２０からの出力と色（色度点）とに応じて、フィルタ角度制御部１７とＬＥＤ駆動電流制御部１９に対し、ダイクロックフィルタ１８の角度と各ＬＥＤ光源２０への駆動電流のフィードバック制御を行うようにしたので、各ＬＥＤ光源２０の明るさのコントロールだけでなく、各ＬＥＤ光源２０の色も同時にコントロールすることができ、ＲＧＢ各色のＬＥＤ光源２０個体のばらつきや、ＲＧＢ各色のＬＥＤ光源２０それぞれのダイクロックフィルタ１８の特性ばらつきをフィードバック制御によって抑えることができる。
【００４３】
しかし、規格によっては各ＬＥＤ光源２０の色を補正できない場合がある。
【００４４】
図７は、ＮＴＳＣ規格の場合における本実施の形態のＬＥＤ制御部１６によるフィルタ角度の制御による各ＬＥＤ光源２０の色(色度点)等の制御を示すCIE 1931 xy色度図である。
【００４５】
図７（ａ）に示すように補正前の緑（Ｇｒｅｅｎ）の色度点はＮＴＳＣ規格から外れたところに位置している。そのためＮＴＳＣ規格の色信号と同系色、例えばＮＴＳＣ規格で緑色であったものが、調整前では青緑色に近い色となる。そのため、図７（ａ）に示すように調整後でも、同じ緑色で彩度が高い色となるが再現できないところがでてくる。
【００４６】
そして、ＬＥＤ制御部１６は、フィルタ角度制御部１７とＬＥＤ駆動電流制御部１９に対し、ダイクロックフィルタ１８の角度と各ＬＥＤ光源２０への駆動電流のフィードバック制御を行うと共に、各ＬＥＤ光源２０の色(色度点)を補正しても、ある閾値を超える、例えば図７に示すようにＮＴＳＣ規格の色度点を越えていると、表示デバイス制御部１２に対し、図７に示すようにＮＴＳＣ規格の色度点を越えている色の表示デバイス２０の色補正をするようにＲＧＢ各色の色パラメータ信号を出力する（ステップ５６０）。なお、ここでの閾値は、上述した各モード毎に設けても良いし、各モードに関係なく固定の値にしても勿論よい。
【００４７】
表示デバイス制御部１２は、表示デバイス駆動部１９からＲＧＢ各色の各ＬＥＤ光源２０の色パラメータ信号が入力されると、そのＲＧＢ各色の色パラメータを参照して表示デバイス駆動部１３に対し、映像信号を補正した補正映像信号を出力する（ステップ５７０）。
【００４８】
すると、各色の表示デバイス駆動部１３は、ＲＧＢ各色の色パラメータに応じて補正された補正映像信号に基づいて各表示デバイス２０に各色を表示するように駆動信号を出力する（ステップ５８０）
【００４９】
ここで、表示デバイス制御部１２は、映像信号の色域を所定の閾値に基づいて色域規格に対応した色域と、色域規格外の色域とに分け、当該色域規格外の色域が拡大されるように各色の前記表示デバイスが表示する色を補正する場合には、例えば、ＮＴＳＣやＨＤＴＶ等の色域規格の範囲内の映像信号と、その規格に合った色味を再現や好ましい色を再現できる一方、ＮＴＳＣやＨＤＴＶ等の色域規格外の彩度の高い映像信号とを個別に制御することにより、色域規格外の色域を拡大することが可能となり、色域規格の範囲内の忠実な色再現が可能であるだけでなく、色域規格外の自由な色表現が可能となる。
【００５０】
以上説明したように、本実施の形態の投射型表示装置によれば、ＬＥＤ制御部１６は、光検出センサ１５が検出したＲＧＢ各色のＬＥＤ光源２０からの出力および色（色度点）の検出信号と、モード信号が示すＲＧＢ各色のＬＥＤ光源２０からの出力と色（色度点）とに応じて、フィルタ角度制御部１７とＬＥＤ駆動電流制御部１９に対し、ダイクロックフィルタ１８の角度と各ＬＥＤ光源２０への駆動電流のフィードバック制御を行うようにしたので、各ＬＥＤ光源２０の明るさのコントロールだけでなく、各ＬＥＤ光源２０の色も同時にコントロールすることができ、ＲＧＢ各色のＬＥＤ光源２０個体のばらつきや、ＲＧＢ各色のＬＥＤ光源２０それぞれのダイクロックフィルタ１８の特性ばらつきをフィードバック制御によって抑えることができる。
【００５１】
特に、本実施の形態の投射型表示装置では、ＬＥＤ制御部１６からの各ＬＥＤ光源２０の色パラメータ信号に基づいて、映像入力部１１からの映像信号を補正して補正映像信号として各色の表示デバイス駆動部１３に出力し、ＲＧＢ各色の色パラメータ信号に応じて補正された補正映像信号に基づいて各表示デバイス２０が各色を表示することにより、ＲＧＢ各色の各表示デバイス２０は、ＲＧＢ各色のＬＥＤ光源２０個体のばらつきや、ＲＧＢ各色のＬＥＤ光源２０それぞれのダイクロックフィルタ１８の特性ばらつきを考慮した光源の色も加味した上で自動的に色調を最適に補正することができる。
【図面の簡単な説明】
【００５２】
【図１】本発明に係る投射型表示装置に実施の形態の構成例を示すブロック図である。
【図２】本発明に係る投射型表示装置において、ＲＧＢ各色毎のダイクロックフィルタ１８が設けられる位置を示す図である。
【図３】本実施の形態のダイクロックフィルタ１８の角度により透過特性の一例を示す図である。
【図４】ある透過特性を持ったダイクロックフィルタ１８を透過したＬＥＤ光源２０からの光の分光分布を示す図である。
【図５】本実施の形態の投射型表示装置の処理手順を示すフローチャートである。
【図６】ＨＤＴＶ規格の場合における本実施の形態のＬＥＤ制御部１６によるフィルタ角度の制御による各ＬＥＤ光源２０の色(色度点)等の制御の例を示す図である。
【図７】ＮＴＳＣ規格の場合における本実施の形態のＬＥＤ制御部１６によるフィルタ角度の制御による各ＬＥＤ光源２０の色(色度点)等の制御の例を示す図である。
【符号の説明】
【００５３】
１１  映像信号入力部、１２  表示デバイス制御部、１３  表示デバイス駆動部、１４  表示デバイス、１５  光検出センサ、１６  ＬＥＤ制御部、１７  フィルタ角度制御部、１８  ダイクロックフィルタ、１９  ＬＥＤ駆動電流制御部、２０  ＬＥＤ光源。
【図１】
2008134378.tif 000003
【図２】
2008134378.tif 000004
【図３】
2008134378.tif 000005
【図４】
2008134378.tif 000006
【図５】
2008134378.tif 000007
【図６】
2008134378.tif 000008
【図７】
2008134378.tif 000009